(57)【要約】【課題】  必要な強度や弾性を確保しつつ部品点数を減らし、さらには好気性微生物を効果的且つ持続的に洗浄水に放出することができるように改良した便器用除菌具の提供。【解決手段】  本発明に係る便器用除菌具は、便器内に流れる洗浄水に好気性微生物を付与して当該便器内の除菌を図る便器用除菌具１であって、上下方向に長い長方形状の横断面を有する棒状を呈し、左右方向において対向する一対の親水性の多孔質板材２と、該一対の多孔質板材２間に介在して当該便器用除菌具１に弾性を付与しつつ上下方向に延びる受水空間を画成する弾性線材３と、上記各多孔質板材２及び上記弾性線材３を包被する親水性の袋材４とから成り、上記各多孔質板材２に好気性微生物群を担持させた構成を有する。【選択図】  図１
2018155021.tif 000002
【特許請求の範囲】
【請求項１】
便器内に流れる洗浄水に好気性微生物を付与して当該便器内の除菌を図る便器用除菌具であって、上下方向に長い長方形状の横断面を有する棒状を呈し、左右方向において対向する一対の親水性の多孔質板材と、該一対の多孔質板材間に介在して当該便器用除菌具に弾性を付与しつつ上下方向に延びる受水空間を画成する弾性線材と、上記各多孔質板材及び上記弾性線材を包被する親水性の袋材とから成り、上記各多孔質板材に好気性微生物群を担持させたことを特徴とする便器用除菌具。
【請求項２】
上記袋材を編成加工布で構成したことを特徴とする請求項１記載の便器用除菌具。
【請求項３】
上記各多孔質板材の上記受水空間を画成する面に沿って好気性微生物群を担持させたシート材を配することを特徴とする請求項１又は２に記載の便器用除菌具。
【請求項４】
上記シート材は不織布であることを特徴とする請求項３記載の便器用除菌具。
【請求項５】
上記不織布にエンボス加工を施したことを特徴とする請求項４記載の便器用除菌具。
【請求項６】
上記多孔質板材に担持させる好気性微生物群の単位体積当たりの量が上記シート材に担持させる好気性微生物群の単位体積当たりの量よりも少ないことを特徴とする請求項３乃至５の何れかに記載の便器用除菌具。
【請求項７】
上記弾性線材は竹ひごであることを特徴とする請求項１乃至６の何れかに記載の便器用除菌具。
【請求項８】
上記一対の多孔質板材の少なくとも一枚に微生物活性剤を含有させたことを特徴とする請求項１乃至７の何れかに記載の便器用除菌具。
【請求項９】
上記一対の多孔質板材の少なくとも一枚に炭材を含有させたことを特徴とする請求項１乃至８の何れかに記載の便器用除菌具。
【発明の詳細な説明】
【技術分野】
【０００１】
本発明は便器内を流れる洗浄水に好気性微生物を付与することができる便器用除菌具、謂わば便器内の除菌に特化したバイオリアクターに関するものである。
【背景技術】
【０００２】
この種の便器用除菌具は、便器内を流れる洗浄水に好気性微生物を付与することにより、当該好気性微生物を含んだ洗浄水を介して汚れや悪臭の原因となる雑菌を除去することができる。
【０００３】
下記特許文献１に示すように、既に本願出願人が開発した棒状（プレート型）の便器用除菌具が知られている。該便器用除菌具は、好気性微生物群を担持させた親水性の多孔質板材及び編成加工布から成る袋材と、竹ひごとを組合せて成る。
【０００４】
詳述すると、下記引用文献１の図１，図２に示されているように、多孔質板材を組合せて角筒を形成し、該角筒の内部に上下方向において対向する一対の親水性の多孔質板材を配すると共に該対向する一対の多孔質板材間に二本の竹ひごを配し、これら多孔質板材及び竹ひごを袋材内に収容した構造を有している。
【先行技術文献】
【特許文献】
【０００５】
【特許文献１】特許第３１５０２９９号公報
【発明の概要】
【発明が解決しようとする課題】
【０００６】
上記特許文献１の便器用除菌具を便器の洗浄水流出口の直下に取り付ければ、便器使用のたびに多孔質板材や袋材を通過した洗浄水に有効に好気性微生物を放出することができるので、当該好気性微生物を含んだ洗浄水により便器内の除菌を図ることができる。また、化学薬剤を用いないので安全に汚れや悪臭を除去することができる。
【０００７】
他方、上記特許文献１の便器用除菌具は、既述の構造により、合計六枚の多孔質板材と二本の竹ひごが必要となり、強度や弾性は十分であるとしても部品点数が多くなってしまう問題点を有している。
【０００８】
本発明は上記特許文献１の便器用除菌具の構造を抜本的に見直し、必要な強度や弾性を確保しつつ部品点数を減らし、さらには好気性微生物を効果的且つ持続的に洗浄水に放出することができるように改良した便器用除菌具を提供する。
【課題を解決するための手段】
【０００９】
要述すると、本発明に係る便器用除菌具は、便器内に流れる洗浄水に好気性微生物を付与して当該便器内の除菌を図る便器用除菌具であって、上下方向に長い長方形状の横断面を有する棒状を呈し、左右方向において対向する一対の親水性の多孔質板材と、該一対の多孔質板材間に介在して当該便器用除菌具に弾性を付与しつつ上下方向に延びる受水空間を画成する弾性線材と、上記各多孔質板材及び上記弾性線材を包被する親水性の袋材とから成り、上記各多孔質板材に好気性微生物群を担持させたことにより、上記多孔質板材や上記弾性線材を必要な強度や弾性を確保する最小限の部品点数で構成することができると共に、上記受水空間によって好気性微生物を効果的且つ持続的に洗浄水に付与して除菌を行うことができる。
【００１０】
好ましくは、上記袋材を編成加工布で構成し、耐久性を備えつつ編目を通じて有効に洗浄水を上記多孔質板材及び上記受水空間へと導くことができる。
【００１１】
また、上記各多孔質板材の上記受水空間を画成する面に沿って好気性微生物群を担持させたシート材を配することにより、該シート材から素早く好気性微生物を洗浄水へ放出することができると共に該シート材で便器不使用時の保水を図ることもできる。
【００１２】
好ましくは、上記シート材として不織布を用い、更に好ましくは、エンボス加工を施した不織布を用いることにより、保水間隙を富含有する構成とし、該シート材による保水を確実ならしめて、該シート材に担持させた好気性微生物群及び該シート材に面接触する上記多孔質板材に担持させた好気性微生物群を効果的に健全な状態に保つことができる。
【００１３】
また、上記多孔質板材に担持させる好気性微生物群の単位体積当たりの量が上記シート材に担持させる好気性微生物群の単位体積当たりの量よりも少ないことにより、高担持性能を有する上記多孔質板材においては好気性微生物群を可及的に長時間担持させて増殖を促す一方、低担持性能を有する上記シート材においては可及的に短時間で多量の好気性微生物を放出し、もって効率的に洗浄水に好気性微生物群を放出して除菌することができる。
【００１４】
また、上記弾性線材として好ましくは竹ひごを用いれば、適度な弾性と耐久性を得ることができる。
【００１５】
また、上記一対の多孔質板材の少なくとも一枚に微生物活性剤を含有させることにより、担持させた好気性微生物の活性化、ひいては好気性微生物群の活性化を促すことができる。
【００１６】
また、上記一対の多孔質板材の少なくとも一枚に炭材を含有させることにより、担持させた好気性微生物の増殖、ひいては好気性微生物群の増大を促すことができる。
【発明の効果】
【００１７】
本発明に係る便器用除菌具は、簡易構造でありながら効率良く好気性微生物を活性化又は増殖させて洗浄水に付与することができ、当該好気性微生物が付与された洗浄水を通じて便器内の除菌を行うことができる。
【００１８】
また、一対の多孔質板材の左右方向における対向構成により、便器用除菌具の横断面形状を上下方向に長い長方形状にして強度を確保することができると共に、弾性線材を介在させて弾性を確保することができ、少ない部品点数で必要な強度及び弾性を確保することができる。
【００１９】
また、受水空間によってシート材や多孔質板材から効率的且つ持続的に好気性微生物を洗浄水中に放出して除菌を行うことができる。
【図面の簡単な説明】
【００２０】
【図１】本発明に係る便器用除菌具の分解斜視図。
【図２】本発明に係る便器用除菌具の斜視図。
【図３】本発明に係る便器用除菌具の拡大横断面図。
【図４】洗浄水の流れを示す説明図。
【図５】本発明に係る便器用除菌具の取付状態を示す説明図。
【発明を実施するための形態】
【００２１】
以下、本発明に係る便器用除菌具の最適な実施例について図１乃至図５に基づき説明する。
【００２２】
本発明に係る便器用除菌具１は、図５に示すように、小便器等の便器Ｔの洗浄水供給口Ｔａ付近に取り付け、すなわち便器内に流れる洗浄水の上流側に取り付けて、当該洗浄水に好気性微生物を付与することができ、該好気性微生物を含んだ洗浄水で上記便器内の悪臭や汚れの原因となる雑菌を除去又は増殖抑制、つまり除菌をすることができる。
【００２３】
なお、本願においては、雑菌の除去、又は除去しきれない雑菌があるとしてもその増殖を抑制する場合を総称して「除菌」と称している。また、便器内の悪臭や汚れの原因とななる「雑菌」も微生物（有害微生物）であるが、本願においては、これら有害微生物の除去又は増殖抑制を行う有用微生物たる好気性微生物を「好気性微生物」と称して、「雑菌」とは区別して記載している。
【００２４】
また、本発明においては、後述するように、親水性の構成材たる多孔質板材２、袋材４及びシート材５の内、少なくとも多孔質板材２及びシート材５に好気性微生物群を担持させ、望ましくは袋材４にも好気性微生物群を担持させる。ここで、「好気性微生物群」とは便器内の悪臭や汚れの原因となる黄色ブドウ球菌等の雑菌の除去又は増殖抑制を行うことができる好気性微生物の集まりをいう。該当する好気性微生物としては、例えばシュードモナス属、ストレプトミセス属、ミクロコッカス属、ノカルディア属、アクロモバクター属、フラボバクテリウム属、ミコバクテリウム属、エアロバクター属、ニトロバクター属等に属する菌体が挙げられる。本発明においては、これら例示の好気性微生物の複数種の集まりを好気性微生物群として利用する。また、これら例示の好気性微生物は尿石を分解する酵素を分泌し、尿石の発生抑制や尿石除去にも貢献する。
【００２５】
≪基本構成≫
図１乃至図３に示すように、本発明に係る便器用除菌具１は、上下方向に長い長方形状の横断面を有する棒状を呈しており、左右方向において対向する一対の親水性の多孔質板材２と、該一対の多孔質板材２間に介在して当該便器用除菌具１に弾性を付与しつつ上下方向に延びる受水空間Ｓを画成する弾性線材３と、各多孔質板材２及び弾性線材３を包被する親水性の袋材４とから成り、軸方向の両端部でビニールテープ等の耐水性を有する結束材６を外周に巻きつけることにより、上記多孔質板材２、弾性線材３及び袋材４を結束する構成を有している。又は、具体的には図示しないが、既知の接着剤等の固化材によって軸方向の両端部における多孔質板材２及び弾性線材３を結束しても良い。
【００２６】
好ましくは、各多孔質板材２の受水空間Ｓを画成する面である内面２ａに沿って好気性微生物群を担持させたシート材５を配する。
【００２７】
≪多孔質板材２≫
好気性微生物群の担体たる多孔質板材２は文字通り多数の小孔を有する部材であり、合成樹脂で細長板状に成形されている。好ましくは、ポリビニルアルコール系合成樹脂、ポリアミド合成樹脂等の合成樹脂にて形成し、高密度で斑なく小孔を備える構造とし、所望の保水・通水性能と担持性能を確保する。
【００２８】
本発明においては、図４に示すように、洗浄水Ｗが各多孔質板材２を通過し、その際に洗浄水Ｗに好気性微生物が付与される。
【００２９】
また、本発明においては、一対の多孔質板材２の一方又は双方に微生物活性剤を含有させ、担持させた好気性微生物、ひいては好気性微生物群を活性化させることができる。又は一対の多孔質板材２の一方又は双方に炭材を含有させ、担持させた好気性微生物、ひいては好気性微生物群の増殖を促すことができる。又は一対の多孔質板材２の双方に微生物活性剤と炭材を含有させて、好気性微生物群の活性化と増殖を図るようにしても良い。
【００３０】
微生物活性剤としては、好ましくはサポニンを含む植物性界面活性剤を用い、好気性微生物群の生理活性を促す。また、炭材としては木炭、竹炭、籾殻炭等の粉末又はこれらの混合粉末を用いる。
【００３１】
≪弾性線材３≫
便器用除菌具１に弾性を付与すると共に一対の多孔質板材２間に受水空間Ｓを画成する弾性線材３は、当該弾性付与と受水空間Ｓの画成を達成できる線材であれば、本発明において特に限定はない。よって、弾性線材３として合成樹脂製線材や木製線材などが挙げられるが、好ましくは竹ひごを用いれば適度な弾性と耐久性を期待することができる。
【００３２】
また、弾性線材３の横断面形状にも特に限定はなく、図示の如く、円形状の他、楕円形状、多角形状とすることもできる。
【００３３】
また、弾性線材３は、既述のように弾性付与や受水空間Ｓの画成に貢献する他、図４に示すように、該受水空間Ｓに受け入れられた洗浄水Ｗと接触して、該接触した洗浄水Ｗをシート材５や多孔質板材２へ導く役割も担っている。このように洗浄水Ｗを導くことによりシート材５や多孔質板材２を介して効果的に好気性微生物が付与されることとなる。
【００３４】
≪袋材４≫
袋材４は、既述のように、弾性線材３を挟持した一対の多孔質板材２を包被する。該袋材４は、多孔質板材２及び受水空間Ｓに洗浄水を導く導水性を担保するために多数の貫通孔を有するものであれば良い。
【００３５】
例えば、袋材４を既知の編成加工布で構成すれば、編目を通じて導水性を確保しつつ耐久性を備えることができる。また、好気性微生物群の担体としても有効に機能させることができる。
【００３６】
≪シート材５≫
好気性微生物群の担体となる一対のシート材５は、既述のように一対の多孔質板材２の内面２ａ、すなわち受水空間Ｓを構成する面に沿ってそれぞれ配され、各多孔質板材２と面接触する。
【００３７】
シート材５は合成繊維、例えば、セルロース繊維、ナイロン繊維、ビニロン繊維、ポリエステル繊維等の合成繊維の編成布又は非編成布の何れで構成しても良いが、好ましくは、非編成布、例えば不織布で構成することが好ましい。このように、シート材５として不織布を用いることにより、保水間隙を富含有する構成とし、該シート材５による保水を確実ならしめて、該シート材５に担持させた好気性微生物群及び該シート材５と面接触する多孔質板材２に担持させた好気性微生物群を効果的に健全な状態に保つことができるからである。
【００３８】
また、シート材５にはエンボス加工を施すことが望ましい。該エンボス加工による凹凸によって洗浄水Ｗと接する面積を増大し、保水と好気性微生物群の放出の双方を効率良く行うことができる。
【００３９】
また、シート材５に担持させる好気性微生物群の単位体積当たりの量は、多孔質板材２に担持させる好気性微生物群の単位体積当たりの量よりも多く設定することが望ましい。高担持性能を有する多孔質板材２においては好気性微生物群を可及的に長時間担持させて増殖を促す一方、低担持性能を有するシート材５においては可及的に短時間で多量の好気性微生物を放出し、もって効率的に洗浄水に好気性微生物群を放出して除菌することができるためである。
【００４０】
以上説明したように、本発明に係る便器用除菌具１は、簡易構造でありながら効率良く好気性微生物を活性化又は増殖させて洗浄水に付与することができ、当該好気性微生物が付与された洗浄水を通じて便器内の除菌を行うことができる。
【００４１】
特に、一対の多孔質板材２の左右方向において対向させる構成により、便器用除菌具１の横断面形状を上下方向に長い長方形状にして、必要最小限の部品点数で強度を確保することができると共に、弾性線材３を介在させて弾性を確保することができる。
【００４２】
また、本発明に係る便器用除菌具１は受水空間Ｓを利用してシート材５や多孔質板材２から効率的且つ持続的に好気性微生物を洗浄水中に放出して除菌を行うことができる。
【符号の説明】
【００４３】
１…便器用除菌具、２…多孔質板材、２ａ…内面、３…弾性線材、４…袋材、５…シート材、６…結束材、Ｓ…受水空間、Ｗ…洗浄水、Ｔ…便器、Ｔａ…洗浄水供給口。
【図１】
2018155021.tif 000003
【図２】
2018155021.tif 000004
【図３】
2018155021.tif 000005
【図４】
2018155021.tif 000006
【図５】
2018155021.tif 000007
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
便器内に流れる洗浄水に好気性微生物を付与して当該便器内の除菌を図る便器用除菌具であって、上下方向に長い長方形状の横断面を有する棒状を呈し、左右方向において対向する一対の親水性の多孔質板材と、該一対の多孔質板材間に介在して当該便器用除菌具に弾性を付与しつつ上下方向に延びる受水空間を画成する弾性線材と、上記各多孔質板材及び上記弾性線材を包被する親水性の袋材とから成り、上記各多孔質板材に好気性微生物群を担持させると共に該各多孔質板材の上記受水空間を画成する面に沿って好気性微生物群を担持させたシート材を配する構造を有し、上記多孔質板材に担持させる好気性微生物群の単位体積当たりの量が上記シート材に担持させる好気性微生物群の単位体積当たりの量よりも少ないことを特徴とする便器用除菌具。
【請求項２】
上記袋材を編成加工布で構成したことを特徴とする請求項１記載の便器用除菌具。
【請求項３】
上記シート材は不織布であることを特徴とする請求項１又は２に記載の便器用除菌具。
【請求項４】
上記不織布にエンボス加工を施したことを特徴とする請求項３記載の便器用除菌具。
【請求項５】
上記弾性線材は竹ひごであることを特徴とする請求項１乃至４の何れかに記載の便器用除菌具。
【請求項６】
上記一対の多孔質板材の少なくとも一枚に微生物活性剤を含有させたことを特徴とする請求項１乃至５の何れかに記載の便器用除菌具。
【請求項７】
上記一対の多孔質板材の少なくとも一枚に炭材を含有させたことを特徴とする請求項１乃至６の何れかに記載の便器用除菌具。
【手続補正２】
【補正対象書類名】明細書
【補正対象項目名】０００９
【補正方法】変更
【補正の内容】
【０００９】
要述すると、本発明に係る便器用除菌具は、便器内に流れる洗浄水に好気性微生物を付与して当該便器内の除菌を図る便器用除菌具であって、上下方向に長い長方形状の横断面を有する棒状を呈し、左右方向において対向する一対の親水性の多孔質板材と、該一対の多孔質板材間に介在して当該便器用除菌具に弾性を付与しつつ上下方向に延びる受水空間を画成する弾性線材と、上記各多孔質板材及び上記弾性線材を包被する親水性の袋材とから成り、上記各多孔質板材に好気性微生物群を担持させたことにより、上記多孔質板材や上記弾性線材を必要な強度や弾性を確保する最小限の部品点数で構成することができると共に、上記受水空間によって好気性微生物を効果的且つ持続的に洗浄水に付与して除菌を行うことができる。
また、上記各多孔質板材の上記受水空間を画成する面に沿って好気性微生物群を担持させたシート材を配することにより、該シート材から素早く好気性微生物を洗浄水へ放出することができると共に該シート材で便器不使用時の保水を図ることもできる。
加えて、上記多孔質板材に担持させる好気性微生物群の単位体積当たりの量が上記シート材に担持させる好気性微生物群の単位体積当たりの量よりも少ないことにより、高担持性能を有する上記多孔質板材においては好気性微生物群を可及的に長時間担持させて増殖を促す一方、低担持性能を有する上記シート材においては可及的に短時間で多量の好気性微生物を放出し、もって効率的に洗浄水に好気性微生物群を放出して除菌することができる。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】削除
【補正の内容】